(57)【特許請求の範囲】
【請求項１】
リテーナが仮係止されているハウジングに端子金具を挿入した後、前記リテーナを仮係止位置から本係止位置へ押し込んで前記端子金具に係止させるようにしたものであり、
前記リテーナには、仮係止位置から本係止位置への押込み方向と同方向へ片持ち状に延出する形態の弾性係止片が形成され、
その弾性係止片の自由端側の位置には仮係止突起が形成されるとともに、この弾性係止片における前記仮係止突起よりも基端側には本係止突起が形成され、
前記本係止突起の前記弾性係止片からの突出寸法が、前記仮係止突起の前記弾性係止片からの突出寸法よりも小さく設定されており、
前記ハウジングには、前記仮係止突起と前記本係止突起とに係止可能な抜止め突起が形成され、
仮係止位置にある前記リテーナは、前記抜止め突起が前記仮係止突起と前記本係止突起との間に嵌合することにより遊動規制され、
本係止位置にある前記リテーナは、前記本係止突起が前記抜止め突起に対して奥側から係止することにより仮係止位置側への戻りを規制され、
本係止位置の前記リテーナを仮係止位置まで戻す過程では、前記弾性係止片が弾性的に傾動しつつ前記本係止突起が前記抜止め突起から解離し、前記本係止突起が前記抜止め突起を乗り越えたところで前記弾性係止片が弾性復帰して前記抜止め突起が前記本係止突起と前記仮係止突起との間に嵌合されることで、前記リテーナが仮係止位置に保持されるようにしたコネクタにおいて、
仮係止位置の前記リテーナに対する抜け方向の力の付与に起因して前記仮係止突起が前記抜止め突起から解離する方向へ前記弾性係止片が弾性撓みしたときに、前記仮係止突起が前記抜止め突起に係止している状態で前記弾性係止片の自由端の変位を規制する規制手段が設けられていることを特徴とするコネクタ。
【請求項２】
前記弾性係止片と前記抜止め突起が概ね対称に一対設けられており、前記リテーナが仮係止位置にある状態において前記仮係止突起を前記抜止め突起から解離させる方向へ前記弾性係止片が弾性撓みしようとする際には、その弾性係止片の自由端同士が互いに当接することでその自由端の変位が規制される構成としたことを特徴とする請求項１記載のコネクタ。
【発明の詳細な説明】
【０００１】
【発明の属する技術分野】
本発明は、端子金具を抜け止めするためのリテーナを備えたコネクタに関するものである。
【０００２】
【従来の技術】
ハウジングに挿入した端子金具をリテーナによって二重係止するコネクタでは、リテーナをハウジングに対して仮係止した状態で端子金具をハウジングに挿入し、その後、リテーナを仮係止位置から本係止位置へ押し込むことによって端子金具に係止させる構造となっている。
【０００３】
リテーナとハウジングには、リテーナを仮係止位置と本係止位置とに係止する手段が設けられる。即ち、リテーナには、仮係止位置から本係止位置への押込み方向と同方向へ片持ち状に延出する形態の弾性係止片を形成し、その弾性係止片の先端（自由端）側に仮係止突起を形成するとともに、この仮係止突起よりも基端側に本係止突起を形成する。一方、ハウジングには、仮係止突起と本係止突起に共通する１つの抜止め突起を形成する。
【０００４】
リテーナが仮係止位置にある状態では、抜止め突起が仮係止突起と本係止突起との間に嵌合することによりリテーナが移動規制される。この状態からリテーナを本係止位置へ押し込むと、弾性係止片が抜止め突起から離間する方向へ弾性撓みしつつ本係止突起が抜止め突起を乗り越え、その本係止突起が抜止め突起に係止することでリテーナは仮係止位置側への戻りを規制される。
尚、弾性係止片に設けた係止突起によってリテーナを仮係止位置と本係止位置とに係止するようにしたコネクタとしては、従来、実開平６−５８５７０号に開示されているものがある。
【０００５】
【発明が解決しようとする課題】
端子金具をハウジングから抜き取る際には、本係止位置にあるリテーナを治具などを用いて仮係止位置まで戻すのであるが、このときに、本係止突起と抜止め突起との係止が解除されるのに伴って弾性係止片が弾性撓みし、本係止突起が抜止め突起を乗り越えたところで、弾性係止片が弾性復帰して抜止め突起が本係止突起と仮係止突起との間に係止され、リテーナは仮係止位置に保持されるようになっている。
【０００６】
ところが、このリテーナの戻し作業では、本来確実に係止されるべき本係止突起を抜止め突起から解離させ、しかも同時に弾性係止片をその弾力に抗して弾性撓みさせる必要があることから、リテーナには過大な力が付与されることになる。そのため、リテーナは勢い良く仮係止位置側へ移動することになるが、このとき、本係止突起が抜止め突起を乗り越えて弾性係止片が弾性復帰した後、勢い余って弾性係止片が再び弾性撓みしつつ仮係止突起までもが抜止め突起を乗り越え、リテーナがハウジングから抜けてしまうことが懸念される。
【０００７】
本願発明は上記事情に鑑みて創案され、リテーナを本係止位置から仮係止位置へ移動させるときに、リテーナがハウジングから離脱するのを防止することを目的としている。
【０００８】
【課題を解決するための手段】
請求項１の発明は、リテーナが仮係止されているハウジングに端子金具を挿入した後、前記リテーナを仮係止位置から本係止位置へ押し込んで前記端子金具に係止させるようにしたものであり、前記リテーナには、仮係止位置から本係止位置への押込み方向と同方向へ片持ち状に延出する形態の弾性係止片が形成され、その弾性係止片の自由端側の位置には仮係止突起が形成されるとともに、この弾性係止片における前記仮係止突起よりも基端側には本係止突起が形成され、前記本係止突起の前記弾性係止片からの突出寸法が、前記仮係止突起の前記弾性係止片からの突出寸法よりも小さく設定されており、前記ハウジングには、前記仮係止突起と前記本係止突起とに係止可能な抜止め突起が形成され、仮係止位置にある前記リテーナは、前記抜止め突起が前記仮係止突起と前記本係止突起との間に嵌合することにより遊動規制され、本係止位置にある前記リテーナは、前記本係止突起が前記抜止め突起に対して奥側から係止することにより仮係止位置側への戻りを規制され、本係止位置の前記リテーナを仮係止位置まで戻す過程では、前記弾性係止片が弾性的に傾動しつつ前記本係止突起が前記抜止め突起から解離し、前記本係止突起が前記抜止め突起を乗り越えたところで前記弾性係止片が弾性復帰して前記抜止め突起が前記本係止突起と前記仮係止突起との間に嵌合されることで、前記リテーナが仮係止位置に保持されるようにしたコネクタにおいて、仮係止位置の前記リテーナに対する抜け方向の力の付与に起因して前記仮係止突起が前記抜止め突起から解離する方向へ前記弾性係止片が弾性撓みしたときに、前記仮係止突起が前記抜止め突起に係止している状態で前記弾性係止片の自由端の変位を規制する規制手段が設けられている構成とした。
【０００９】
請求項２の発明は、請求項１の発明において、前記弾性係止片と前記抜止め突起が概ね対称に一対設けられており、前記リテーナが仮係止位置にある状態において前記仮係止突起を前記抜止め突起から解離させる方向へ前記弾性係止片が弾性撓みしようとする際には、その弾性係止片の自由端同士が互いに当接することでその自由端の変位が規制される構成とした。
【００１０】
【発明の作用及び効果】
［請求項１の発明］
仮係止位置にあるリテーナにハウジングからの抜け方向の力が作用することに起因して弾性係止片が弾性撓みしようとしても、規制手段によってその弾性係止片の自由端の変位が規制される。この自由端の変位規制により、弾性係止片は、一端支持の状態から両端支持の状態となって見掛け上の弾力が増大するため、弾性撓みを生じ難くなる。したがって、その弾性係止片の弾性撓みに伴って仮係止突起が抜止め突起を乗り越える動作が規制され、リテーナは仮係止位置に保持される。
【００１１】
よって、リテーナを本係止位置から仮係止位置側に向かって勢い良く移動させたときには、仮係止位置に到達した時点で、本係止突起が抜止め突起を乗り越えて弾性係止片が弾性復帰すると、その弾性係止片は上記のように規制手段によって弾性撓みを規制される。これにより、リテーナは、その本係止突起と仮係止突起の間に抜止め突起を嵌合させた仮係止位置で確実に停止し、ハウジングからの離脱が防止される。
【００１２】
また、弾性係止片は片持ち状をなしていて傾動変位するようになっているため、仮係止突起と本係止突起の突出寸法が同じである場合には、自由端に近い仮係止突起が抜止め突起を乗り越えるときよりも、自由端から遠い本係止突起が抜止め突起を乗り越えるときの方が、弾性係止片の傾動量即ち弾性撓み量が大きくなるのである。このことは、仮係止位置のリテーナをハウジングから引き抜くのに要する力よりも、リテーナを本係止位置から仮係止位置へ移動させるのに要する力の方が大きくなることを意味するため、リテーナを仮係止位置と本係止位置との間で移動させるときの作業性と、リテーナをハウジングから外れ難くする機能とを勘案した場合に、あまり好ましくはない。
【００１３】
その点、本発明では、仮係止突起よりも本係止突起の突出寸法を小さくしているので、リテーナのハウジングからの離脱防止機能を低下させることなく、リテーナを本係止位置と仮係止位置との間で移動させるのに要する力を低減して操作性の向上を実現することができる。
［請求項２の発明］
規制手段は、リテーナの弾性係止片のみで構成されているので、ハウジング側に規制手段を設ける必要がなく、ハウジング側の形状の簡素化を図ることができる。
【００１４】
【発明の実施の形態】
［実施形態１］
以下、本発明を具体化した実施形態１を図１乃至図１１を参照して説明する。
本実施形態のコネクタは、ハウジング１０と端子金具３０とリテーナ２０とを備えて構成される。ハウジング１０は合成樹脂材料からなり、その外周には相手側コネクタ（図示せず）との嵌合部分をシールするためのシール部材１１が装着されている。また、ハウジング１０の略前半部分には、キャビティ１２の前端部を構成するとともにシール部材１１の抜止め機能を有するフロントホルダ１６が外嵌されている。
【００１５】
ハウジング１０の内部にはキャビティ１２が形成されている。キャビティ１２内には後方から（図１における斜め右上方からであり、図１０における右方から）端子金具３０が挿入され、その一次係止部３１をキャビティ１２内のランス１３に一次係止させることにより抜止め状態とされる。この端子金具３０には、その端子金具３０が正規挿入されている状態において収容空間１４に対して前方から臨むように位置する二次係止部３２が形成されている。
【００１６】
また、ハウジング１０内には、その左外側面に開口するとともにキャビティ１２に連通する収容空間１４が左右方向に貫通して形成されており、この収容空間１４にはハウジング１０の左方から（図１における右下方から）リテーナ２０が差し込まれるようになっている。この収容空間１４の右端部には、その前側の内面から後方へ突出する第１抜止め突起１５Ｆと、後側の内面から前方へ突出する第２抜止め突起１５Ｒが形成されている。この第１抜止め突起１５Ｆと第２抜止め突起１５Ｒは、その形状、寸法及び配置が前後対称となっている。かかる抜止め突起１５Ｆ，１５Ｒの右側（収容空間１４に対するリテーナ２０の差込み方向における前側）の面は、収容空間１４に対するリテーナ２０の抜き差し方向と直交する受け面１５ａとされ、抜止め突起１５Ｆ，１５Ｒの左側の面は、収容空間１４に対するリテーナ２０の差込み方向に対して傾斜した誘導斜面１５ｂとなっている。
【００１７】
リテーナ２０は、収容空間１４内に差し込まれることで、ハウジング１０に対して仮係止位置（図４を参照）と、この仮係止位置よりも深く差し込まれた本係止位置（図６を参照）とに組み付けられるようにしたものである。リテーナ２０は、合成樹脂材料からなり、ハウジング１０の外側面と整合する形態の基部２１と、この基部２１から収容空間１４に対する差込み方向（以下、単に差し込み方向という）と同じ方向に延出する延出部２２とからなる。延出部２２は全体として水平板状をなし、その下面には、リテーナ２０が本係止位置にある状態でキャビティ１２内の端子金具３０の二次係止部３２に対して後方から係止する端子係止部２３が形成されている。リテーナ２０が仮係止位置にある状態では、端子係止部２３は、キャビティ１２の外、即ち端子金具３０の挿入経路の外へ退避し、これにより、キャビティ１２に対する端子金具３０の挿抜が可能となる。
【００１８】
延出部２２の延出端部には、リテーナ２０を仮係止位置と本係止位置とに係止するための手段として、前後一対の弾性係止片２４Ｆ，２４Ｒが形成されている。
前側（図１１における下側）の第１弾性係止片２４Ｆは、リテーナ２０の差込み方向（ハウジング１０に対するリテーナ２０の組付け方向、及び仮係止位置から本係止位置への押込み方向と同じ方向）と同じ方向へ片持ち状に延出する形態とされ、基端部を略支点として自由端２４ａ側を後方へ変位させるように弾性的に傾動し得るようになっている。かかる第１弾性係止片２４Ｆには、その前縁から前方へ突出する仮係止突起２５と本係止突起２６Ｆとが形成されている。
【００１９】
仮係止突起２５は、第１弾性係止片２４Ｆの自由端２４ａ（延出端）に配され、その仮係止突起２５の自由端２４ａ側（リテーナ２０の差込み方向前端側）の面は、リテーナ２０の差込み方向に対して傾斜した誘導斜面２５ａとなっており、仮係止突起２５の基端側の面はリテーナ２０の差込み方向に対して直交する係止面２５ｂとなっている。
本係止突起２６Ｆは仮係止突起２５よりも基端部側の位置に配されており、その本係止突起２６Ｆと仮係止突起２５との間は、ハウジング１０の抜止め突起１５Ｆを嵌合させるための仮係止用嵌合凹部２７となっている。本係止突起２６Ｆの自由端２４ａ側（仮係止突起２５と対向する側）の面は、リテーナ２０の差込み方向に対して傾斜した誘導斜面２６ａとなっており、本係止突起２６Ｆの基端側の面はリテーナ２０の差込み方向に対して直交する係止面２６ｂとなっている。さらに、本係止突起２６Ｆよりも基端側には本係止面２８が形成され、この本係止突起２６Ｆと本係止面２８との間は、抜止め突起１５Ｆを嵌合させるための本係止用嵌合凹部２９となっている。
【００２０】
また、本係止突起２６Ｆの第１弾性係止片２４Ｆの前縁からの突出寸法は、仮係止突起２５の第１弾性係止片２４Ｆの前縁からの突出寸法よりも小さく設定されている。したがって、本係止突起２６Ｆの前端面は、仮係止突起２５の前端面よりも後方に位置している。
一方、後側の第２弾性係止片２４Ｒは、リテーナ２０の差込み方向と同じ方向へ片持ち状に延出する形態とされ、基端部を略支点として自由端２４ａ側を前方（第１弾性係止片２４Ｆ側）へ変位させるように弾性的に傾動し得るようになっている。かかる第２弾性係止片２４Ｒには、その後縁から後方へ突出する仮係止突起２５と本係止突起２６Ｒとが形成されている。
【００２１】
仮係止突起２５は、第２弾性係止片２４Ｒの自由端２４ａ（延出端）に配され、その仮係止突起２５の自由端２４ａ側（リテーナ２０の差込み方向前端側）の面は、リテーナ２０の差込み方向に対して傾斜した誘導斜面２５ａとなっており、仮係止突起２５の基端側の面はリテーナ２０の差込み方向に対して直交する係止面２５ｂとなっている。
本係止突起２６Ｒは仮係止突起２５よりも基端部側の位置に配されており、その本係止突起２６Ｒと仮係止突起２５との間は、ハウジング１０の抜止め突起１５Ｒを嵌合させるための仮係止用嵌合凹部２７となっている。本係止突起２６Ｒの自由端２４ａ側（仮係止突起２５と対向する側）の面は、リテーナ２０の差込み方向に対して傾斜した誘導斜面２６ａとなっており、本係止突起２６Ｒの基端側の面はリテーナ２０の差込み方向に対して直交する係止面２６ｂとなっている。さらに、本係止突起２６Ｒよりも基端側には本係止面２８が形成され、この本係止突起２６Ｒと本係止面２８との間は、抜止め突起１５Ｒを嵌合させるための本係止用嵌合凹部２９となっている。
【００２２】
また、この第２弾性係止片２４Ｒでは、本係止突起２６Ｒの第２弾性係止片２４Ｒの後縁からの突出寸法は、仮係止突起２５の第２弾性係止片２４Ｒの後縁からの突出寸法と同じ寸法に設定されている。したがって、本係止突起２６Ｒの後端面と仮係止突起２５の後端面とはリテーナ２０の差込み方向と平行な方向において面一状に位置している。さらに、第２弾性係止片２４Ｒの仮係止突起２５の突出寸法は第１弾性係止片２４Ｆの仮係止突起２５の突出寸法と同じ寸法とされている。
【００２３】
次に、本実施形態の作用を説明する。
コネクタの組付けに際しては、まず、リテーナ２０を収容空間１４に差し込んで仮係止位置に組み付ける。組付けの過程では、図３に示すように、両弾性係止片２４Ｆ，２４Ｒが互いに相手側に接近しつつ自由端２４ａ同士を当接させるように弾性撓みすることで、仮係止突起２５が抜止め突起１５Ｆ，１５Ｒを乗り越える。そして、仮係止突起２５が抜止め突起１５Ｆ，１５Ｒを通過すると、弾性係止片２４Ｆ，２４Ｒが弾性復帰して仮係止突起２５と本係止突起２６Ｆ，２６Ｒとの間の仮係止用嵌合凹部２７が抜止め突起１５Ｆ，１５Ｒに嵌合され、もってリテーナ２０が仮係止位置に保持される（図４を参照）。
【００２４】
この状態で、各キャビティ１２に端子金具３０を挿入すると、挿入された端子金具３０はランス１３と一次係止部３１との係止により抜止めされる。
端子金具３０の挿入が済んだら、仮係止位置にあるリテーナ２０を本係止位置へ押し込む。押込みの過程では、図５に示すように、両弾性係止片２４Ｆ，２４Ｒがその自由端２４ａ同士を当接させるように弾性撓みしつつ、本係止突起２６Ｆ，２６Ｒが抜止め突起１５Ｆ，１５Ｒを乗り越える。そして、本係止突起２６Ｆ，２６Ｒが抜止め突起１５Ｆ，１５Ｒを通過すると、弾性係止片２４Ｆ，２４Ｒが弾性復帰して本係止突起２６Ｆ，２６Ｒと本係止面２８との間の本係止用嵌合凹部２９が抜止め突起１５Ｆ，１５Ｒに嵌合され、もってリテーナ２０が本係止位置に保持される（図６を参照）。この状態では、リテーナ２０の端子係止部２３が端子金具３０の二次係止部３２に係止する。この端子係止部２３と二次係止部３２との係止と、ランス１３と一次係止部３１との係止による二重係止により、端子金具３０は確実に抜止め状態に保持される。
【００２５】
さて、この抜止め状態にある端子金具３０をハウジング１０外へ抜き取る際には、まず、本係止位置にあるリテーナ２０を仮係止位置へ戻す。このとき、基部２１の治具受け部２１ａに細長い治具（図示せず）の先端を引っ掛けてテコの作用を利用し、本係止突起２６Ｆ，２６Ｒと抜止め突起１５Ｆ，１５Ｒとの係止を解除してリテーナ２０を移動させればよい。リテーナ２０が仮係止位置へ移動する過程では。図５に示すように、両弾性係止片２４Ｆ，２４Ｒがその自由端２４ａ同士を当接させるように弾性撓みしつつ本係止突起２６Ｆ，２６Ｒが抜止め突起１５Ｆ，１５Ｒを乗り越え、本係止突起２６Ｆ，２６Ｒが抜止め突起１５Ｆ，１５Ｒを通過すると、弾性係止片２４Ｆ，２４Ｒが弾性復帰して仮係止用嵌合凹部２７が抜止め突起１５Ｆ，１５Ｒに嵌合され、もって、リテーナ２０が仮係止位置に保持される。
【００２６】
これにより、リテーナ２０による端子金具３０に対する二次係止が解除されるので、あとは、治具（図示せず）によりランス１３を一次係止部３１から解離させるように弾性撓みさせ、端子金具３０を引き抜けばよい。
さて、本係止位置のリテーナ２０を仮係止位置へ戻す作業に際しては、リテーナ２０の差込み方向に対して直交する係止面１５ａ，２６ｂ同士の係止によって確実な係止状態となっている本係止突起２６Ｆ，２６Ｒを抜止め突起１５Ｆ，１５Ｒから解離させ、しかも同時に弾性係止片２４Ｆ，２４Ｒをその弾力に抗して弾性撓みさせる必要があることから、リテーナ２０には仮係止方向（ハウジング１０からの外し方向）への過大な力が付与され、リテーナ２０は勢い良く仮係止位置側へ移動することになる。そのため、本係止突起２６Ｆ，２６Ｒが抜止め突起１５Ｆ，１５Ｒを乗り越えて弾性係止片２４Ｆ，２４Ｒが弾性復帰した後も、勢い余って弾性係止片２４Ｆ，２４Ｒが再び弾性撓みしつつ仮係止突起２５までもが抜止め突起１５Ｆ，１５Ｒを乗り越え、その結果、リテーナ２０が仮係止位置で止まらずにハウジング１０から抜けてしまうことが懸念される。
【００２７】
しかしながら本実施形態では、仮係止位置のリテーナ２０に対する抜け方向の力の付与に起因して仮係止突起２５が抜止め突起１５Ｆ，１５Ｒから解離する方向へ弾性係止片２４Ｆ，２４Ｒが弾性撓みしたときに、仮係止突起２５が抜止め突起１５Ｆ，１５Ｒに係止している状態で弾性係止片２４Ｆ，２４Ｒの自由端２４ａの変位を規制する規制手段１９、即ち弾性係止片２４Ｆ，２４Ｒの自由端２４ａ同士を直接当接させる構造がとられている（図７を参照）。この自由端２４ａの変位規制により、弾性係止片２４Ｆ，２４Ｒは、その基端における一端支持の状態から、基端と自由端２４ａとの２カ所による両端支持の状態となって見掛け上の弾力が増大するため、弾性撓みを生じ難くなる。これにより、弾性係止片２４Ｆ，２４Ｒの弾性撓みに伴って仮係止突起２５が抜止め突起１５Ｆ，１５Ｒを乗り越える動作も規制され、リテーナ２０は仮係止位置に保持されるようになっている。
【００２８】
したがって、リテーナ２０を本係止位置から仮係止位置側に向かって勢い良く移動させたときには、仮係止位置に到達した時点で、本係止突起２６Ｆ，２６Ｒが抜止め突起１５Ｆ，１５Ｒを乗り越えて弾性係止片２４Ｆ，２４Ｒが弾性復帰すると、その弾性係止片２４Ｆ，２４Ｒは弾性撓みを規制されるので、仮係止突起２５は抜止め突起１５Ｆ，１５Ｒを乗り越えることができない。したがって、リテーナ２０は、その本係止突起２６Ｆ，２６Ｒと仮係止突起２５の間に抜止め突起１５Ｆ，１５Ｒを嵌合させた仮係止位置で確実に停止することになり、もってリテーナ２０のハウジング１０からの離脱が防止される。
【００２９】
また、弾性係止片２４Ｆ，２４Ｒは片持ち状をなしていて傾動変位するようになっているため、仮係止突起と本係止突起の突出寸法が同じである場合には、自由端に近い仮係止突起が抜止め突起を乗り越えるときよりも、自由端から遠い本係止突起が抜止め突起を乗り越えるときの方が、弾性係止片の傾動量即ち弾性撓み量が大きくなる。このことは、仮係止位置のリテーナをハウジングから引き抜くのに要する力よりも、リテーナを本係止位置から仮係止位置へ移動させるのに要する力の方が大きくなることを意味するため、リテーナを仮係止位置と本係止位置との間で移動させるときの作業性と、リテーナをハウジングから外れ難くする機能とを勘案した場合に、あまり好ましくはない。
【００３０】
その点、本実施形態では、第１弾性係止片２４Ｆにおいて仮係止突起２５よりも本係止突起２６Ｆの突出寸法を小さくしているので、リテーナ２０のハウジング１０からの離脱防止機能を低下させることなく、リテーナ２０を本係止位置と仮係止位置との間で移動させるのに要する力を低減して操作性の向上を実現している。
また、弾性係止片２４Ｆ，２４Ｒの自由端２４ａの変位を規制する手段は、弾性係止片２４Ｆ，２４Ｒの自由端２４ａ同士を直接当接させるようになっていて、リテーナ２０の弾性係止片２４Ｆ，２４Ｒのみで構成されている。したがって、ハウジング１０側には規制手段を設ける必要がなく、ハウジング１０側の形状の簡素化が図られている。
【００３１】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では弾性係止片と抜止め突起を概ね対称に一対設けたが、本発明によれば、弾性係止片と抜止め突起を１つだけとしてもよい。この場合、弾性係止片の自由端の変位規制は、その自由端をハウジングに当接させることによって行われる。
【００３２】
（２）上記実施形態では弾性係止片の自由端の変位を規制する手段としてその自由端同士を直接当接させる構成としたが、本発明によれば、ハウジングに両弾性係止片の間に位置するように受け部を形成し、この受け部に対して自由端を当接させることでその自由端の変位規制を行うようにしてもよい。
（３）上記実施形態では本係止突起の突出寸法を仮係止突起の突出寸法よりも小さくしたが、本発明によれば、本係止突起の突出寸法は、仮係止突起の突出寸法と同じ寸法か、それよりも大きい寸法とすることもできる。
【００３３】
（４）上記実施形態では仮係止突起の突出寸法と本係止突起の突出寸法とを異ならせる構成は、一対のだけのうち一方の弾性係止片のみに適用したが、本発明によれば、一対の弾性係止片の双方に両突起の突出寸法を異ならせる構成を適用することもできる。
【図面の簡単な説明】
【図１】実施形態１のコネクタの分解斜視図
【図２】リテーナをハウジングから外した状態の水平断面図
【図３】リテーナをハウジングに組み付ける途中の状態をあらわす水平断面図
【図４】リテーナをハウジングに対して仮係止位置に組み付けた状態をあらわす水平断面図
【図５】リテーナを仮係止位置から本係止位置へ移動させる途中の状態をあらわす水平断面図
【図６】リテーナをハウジングに対して本係止位置に組み付けた状態をあらわす水平断面図
【図７】本係止位置のリテーナを仮係止位置まで移動させた直後の状態をあらわす水平断面図
【図８】リテーナの正面図
【図９】コネクタの正面図
【図１０】図９のＸ−Ｘ断面図
【図１１】リテーナの部分拡大平面図
【符号の説明】
１０…ハウジング
１５Ｆ，１５Ｒ…抜止め突起
２０…リテーナ
２４ａ…自由端
２４Ｆ…第１弾性係止片
２４Ｒ…第２弾性係止片
２５…仮係止突起
２６Ｆ，２６Ｒ…本係止突起
３０…端子金具
【図１】
0003806924.tif 000002
【図２】
0003806924.tif 000003
【図３】
0003806924.tif 000004
【図４】
0003806924.tif 000005
【図５】
0003806924.tif 000006
【図６】
0003806924.tif 000007
【図７】
0003806924.tif 000008
【図８】
0003806924.tif 000009
【図９】
0003806924.tif 000010
【図１０】
0003806924.tif 000011
【図１１】
0003806924.tif 000012